(57)【要約】【課題】端面から孔中心までの距離が５ｍｍ未満の寸法でも測定可能で従来のように孔中心距離の測定も可能とすることを目的とする。【解決手段】本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面としたピッチノギスとした。【選択図】　図１
2004028711.tif 000002
【特許請求の範囲】
【請求項１】
本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面としたピッチノギス。
【請求項２】
本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面とし、上部の先細り状位置決め部は先端を通る中心線に対して対称で斜状下向き位置決め線よりなるピッチノギス。
【発明の詳細な説明】
【０００１】
【発明の属する技術分野】
本発明は、ピッチノギスに関するものである。
【０００２】
【従来の技術】
従来のピッチノギスとしては、図６に示すように、被測定物１０１の孔１０２の中心と孔１０３の中心間距離を測定するものがある。
【０００３】
本尺１０４の先端に固定した案内部材１０５に本尺側ジョウ１０６を摺動自在に設け、ネジ１０７をねじ込んで固定する。
【０００４】
バーニャ１０８を本尺１０４上を摺動自在に設け、ネジ１０９をねじ込んで本尺１０４上に固定する。このバーニャ１０８の先端側にバーニャ側ジョウ１０９を固定する。
【０００５】
本尺側ジョウ１０６及びバーニャ側ジョウ１１０の下部の先細り状位置決め部は、先端を通る中心線に対して対称で斜状上向き位置決め線よりなる。
【０００６】
孔１０２中心と孔１０３中心間距離を測定するには、図６に示すように、本尺側ジョウ１０６の位置決め部を孔１０２に挿入し位置決めし、バーニャ側ジョウ１１０の位置決め部を孔１０３に挿入し位置決めして測定する。
【０００７】
本尺側ジョウ１０６は中心線１１１に対し左右対称で、概略長方形板体であり、下部の先細り状位置決め部は先端１１２を通る中心線１１１に対して対称で、斜状上向き位置決め線１１３よりなる。
【０００８】
バーニャ側ジョウ１１０も同様に、中心線１１４に対し左右対称で、概略長方形板体であり、下部の先細り状位置決め部は先端１１５を通る中心線１１４に対し左右対称で、斜状上向き位置決め線１１６よりなる。
【０００９】
本尺側ジョウ１０６もバーニャ側ジョウ１１０の何れもが中心線１１１・１１４に対して対称の斜状上向き位置決め線１１３・１１６があるため、この斜状上向き位置決め線１１３・１１６が孔１０２・１０３の上縁に当接して本尺側ジョウ１０６を孔１０２の中心に、バーニャ側ジョウ１１０を孔１０３の中心に位置決めする。
【００１０】
次に、被測定物２０１の端面２０２から孔２０３中心までの距離の測定は、図７に示すようにして行う。
【００１１】
ピッチノギスは図６の場合と同様で、ただ、本尺側ジョウ１０６を下方へ移動させてネジ１０７をねじ込んで固定して行う。本尺側ジョウ１０６の側面１１７を被測定物２０１の端面２０２に当接させてバーニャ側ジョウ１１０を孔２０３に挿入し位置決めして行う。
【００１２】
【発明が解決しようとする課題】
本尺側ジョウ１０６の側面１１７を被測定物２０１の端面２０２に当接させてバーニャ側ジョウ１１０を孔２０３に挿入し位置決めして、被測定物２０１の端面２０２から孔２０３中心までの距離の測定を行う場合、端面２０２から孔２０３中心までの距離が５ｍｍ未満の寸法は測定不可能である。本尺側ジョウ１０６の側面１１７とバーニャ側ジョウ１１０の側面１１８が当接した場合、本尺側ジョウ１０６の側面１１７とバーニャ側ジョウ１１０の中心線１１４までの距離が５ｍｍであって、その距離を両者が当接しているため縮小させることはできない。
【００１３】
【課題を解決するための手段】
そこで、本発明は、上記の事情に鑑み、端面２０２から孔２０３中心までの距離が５ｍｍ未満の寸法でも測定可能とすべく、本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面としたピッチノギスとした。
【００１４】
また、本発明は、端面２０２から孔２０３中心までの距離が５ｍｍ未満の寸法でも測定可能で、従来のように孔中心距離の測定も可能とすべく、本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面とし、上部の先細り状位置決め部は先端を通る中心線に対して対称で斜状下向き位置決め線よりなるピッチノギスとした。
【００１５】
【発明の実施の態様】
本発明を添付する図面に示す具体的な実施例に基づいて、以下詳細に説明する。
【００１６】
本発明のピッチノギスは、図１に示すように、被測定物１の端面２と、孔３の中心間距離を測定するものである。
【００１７】
本尺４の先端に固定した案内部材５に本尺側ジョウ６を摺動自在に設け、ネジ７をねじ込んで固定する。
【００１８】
バーニャ２１を本尺４上を摺動自在に設け、ネジ８をねじ込んで本尺４上に固定する。このバーニャ２１の先端側にバーニャ側ジョウ１０を固定する。
【００１９】
バーニャ側ジョウ１０の下部の先細り状位置決め部は、先端１１を通る中心線１２に対して対称で、斜状上向き位置決め線１３よりなる。
【００２０】
バーニャ側ジョウ１０は中心線１２に対して対称の斜状上向き位置決め線１３があるため、この斜状上向き位置決め線１３が孔３の上縁に当接してバーニャ側ジョウ１０を孔３の中心に位置決めする。
【００２１】
被測定物１の端面２から孔３中心までの距離の測定を行う。
【００２２】
ピッチノギスは従来の場合と同様で、ただ、本尺側ジョウ１４は異なる。本尺側ジョウ１４の下端の突出片１５の先端面１６を被測定物１の端面２に当接させてバーニャ側ジョウ１０を孔３に挿入し位置決めして行う。
【００２３】
本尺側ジョウ１４は概略長方形板体であり、下端に突出片１５を設けて突出片１５の先端面１６を被測定物１の端面２に当接する測定面とする。
【００２４】
図２に本尺側ジョウ１４を示す。材質はＳＵＳ系で、板厚は３．０ｍｍ、寸法公差は突出片１５の高さを除き±０．０１ｍｍの寸法公差、外周は糸面取り、測定面１６と本尺スライド面１７は研磨仕上げとする。
【００２５】
図３に本尺側ジョウ１４、バーニャ側ジョウ１０と本尺目盛りとバーニャ目盛りとの関係を示す。
【００２６】
本尺側ジョウ１４の突出片１５は５ｍｍ突出させ、バーニャ側ジョウ１０の幅は１０ｍｍである。バーニャ側ジョウ１０の先端１１と本尺側ジョウ１４の先端面１６が合わさると測定距離は０（ゼロ）となる。測定距離が０の場合、本尺目盛りの「１０」とバーニャ目盛り「０」とが一致する。
【００２７】
本尺側ジョウ１４’で従来の孔中心間距離の測定も可能とすべく、図４に示すように、上部の先細り状位置決め部は、先端１８を通る中心線１９に対して対称で、斜状下向き位置決め線２０よりなる。斜状下向き位置決め線２０・２０の中心角は４０°で、１．０ｍｍ円弧面に形成してある。
【００２８】
図５に示すように、本尺側ジョウ１４’の突出片１５は５ｍｍ突出させ、バーニャ側ジョウ１０の幅は１０ｍｍである。バーニャ側ジョウ１０の先端１１と本尺側ジョウ１４’の先端面１６が合わさると測定距離は０となる。測定距離が０の場合、本尺目盛りの「１０」とバーニャ目盛り「０」とが一致する。
【００２９】
【発明の効果】
本発明は、上述のように、本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面としたピッチノギスであるので、端面から孔中心までの距離が５ｍｍ未満の寸法でも測定可能である。
【００３０】
また、本発明は、本尺の先端に固定した本尺側ジョウを被測定物の端面に当接させ、本尺上を摺動するバーニャに固定したバーニャ側ジョウの下部の位置決め部を被測定物の孔に挿入・位置決めして、被測定物の端面から孔中心までの距離を測定するピッチノギスにおいて、本尺側ジョウが概略長方形板体であり、下端に突出片を設けて突出片の先端面を被測定物の端面に当接する測定面とし、上部の先細り状位置決め部は先端を通る中心線に対して対称で斜状下向き位置決め線よりなるピッチノギスであるので、端面から孔中心までの距離が５ｍｍ未満の寸法でも測定可能で、従来のように孔中心間距離の測定も可能である。
【００３１】
なお、最近においては、デジタルノギスが使用されるようになったが、±０．１ｍｍ以下保証の場合はデジタルノギスがよいが、±０．２ｍｍ以下保証の場合はデジタルノギスよりアナログノギスの方が使い勝手がよい。特に、中習者にとってはアナログノギスの方が使い勝手がよい。
【図面の簡単な説明】
【図１】本発明の具体的一実施例のピッチノギスで被測定物の端面と孔中心との距離を測定する正面図である。
【図２】本発明に係る本尺側ジョウの正面図である。
【図３】本発明の本尺側ジョウとバーニャ側ジョウとの関係を示す本尺目盛とバーニャ目盛との関係を示す図である。
【図４】従来の孔中心間距離測定と本発明の被測定物端面と孔中心間距離の測定の両者ができる本尺側ジョウの正面図である。
【図５】図４の本尺側ジョウとバーニャ側ジョウとの関係を示す本尺目盛とバーニャ目盛との関係を示す図である。
【図６】被測定物の孔の中心と孔の中心間距離を測定する従来のピッチノギスの正面図である。
【図７】被測定物の端面から孔中心までの距離の測定を行う従来のピッチノギスの正面図である。
【符号の説明】
４…本尺
１４…本尺側ジョウ
１…被測定物
２１…バーニャ
２…端面
１０…バーニャ側ジョウ
３…孔
１５…突出片
１６…先端面
１８…先端
１９…中心線
２０…斜状下向き位置決め線
【図１】
2004028711.tif 000003
【図２】
2004028711.tif 000004
【図３】
2004028711.tif 000005
【図４】
2004028711.tif 000006
【図５】
2004028711.tif 000007
【図６】
2004028711.tif 000008
【図７】
2004028711.tif 000009